(57)【要約】  【課題】キャッシュレスの利便性を有すると共に、従来のプリペイドカードを利用した方法とは異なり、残金を気にすることなく、また、カードの残金データの改ざんといった悪用やカードの紛失や破損による金銭的損害も発生しないカラオケ課金システムの提供。  【解決手段】カラオケ演奏装置ないしカラオケホスト装置に設定されたパスポート情報テーブル（Ｔ）に基づき、利用者が所定のカラオケ演奏装置を利用する際に利用者ＩＤが認証され、当該利用者のパスポート期間情報が確認された場合、当該利用日がこのパスポート期間内の利用時間帯であれば、課金処理装置において、カラオケ演奏装置の利用に基づいて発生する所定の課金を無料とする。【選択図】図４
2005164659.tif 000002
【特許請求の範囲】
【請求項１】
カラオケ演奏装置と当該カラオケ演奏装置に接続された課金処理装置からなるカラオケ課金システムにおいて、前記カラオケ演奏装置内には利用者毎にパスポート期間情報が登録されてなり、利用者が所定のカラオケ演奏装置を利用する際に利用者ＩＤが認証され、当該利用者の前記パスポート期間情報が確認された場合、当該利用日が前記パスポート期間内であれば、前記課金処理装置において、前記カラオケ演奏装置の利用に基づいて発生する所定の課金を無料とすることを特徴とするカラオケ課金システム。
【請求項２】
カラオケ演奏装置と当該カラオケ演奏装置に接続されたカラオケホスト装置および課金処理装置からなるカラオケ課金システムにおいて、前記カラオケホスト装置内には利用者毎にパスポート期間情報が登録されてなり、利用者が所定のカラオケ演奏装置を利用する際に利用者ＩＤが認証され、当該利用者の前記パスポート期間情報が確認された場合、当該利用日が前記パスポート期間内であれば、前記課金処理装置において、前記カラオケ演奏装置の利用に基づいて発生する所定の課金を無料とすることを特徴とするカラオケ課金システム。
【請求項３】
前記パスポート期間情報に利用時間帯情報がさらに付帯され、前記利用日が前記パスポート期間内で、かつ、前記利用時間内であれば、前記課金処理装置において、前記カラオケ演奏装置の利用に基づいて発生する所定の課金を無料とすることを特徴とする請求項１記載ないし請求項２記載のカラオケ課金システム。
【発明の詳細な説明】
【技術分野】
【０００１】
本発明はカラオケ演奏装置の利用に基づく課金に関わるシステムに関する。
【背景技術】
【０００２】
従来、カラオケ演奏装置の利用に基づく課金に対する支払い方法としては、支払いカウンタを利用した現金やクレジットカードによる支払いの他、支払いカウンタを利用しない場合には、カラオケ演奏装置が付帯するコインボックスやプリペイドカード読み取り装置などを用いる方法が一般的に知られている。
【０００３】
最近は技術的進歩でキャッシュレスの支払いシステムが開発されて利便性が増し、カラオケ課金システムでもこの利便性は非常に重要なものとなっている。上記したように、支払いカウンタを利用する場合には、当然の如く利用者は現金やクレジットカードを持参する必要があり、また、支払いカウンタを利用しない場合には、コインボックスの利用が最も一般的であったが、この方法でもやはり現金を持参する必要がある。加えて、ディーラ側ではコイン回収には非常に手間がかかる。そこで、最近ではプリペイドカードの利用が増えており、例えば、特許文献１では、カラオケ演奏に光学的または磁気的に記録されたカードを用いたキャシュレスのカラオケ管理（課金）システムに関する技術が開示されている。
【特許文献１】特開平５−１１３７９３号公報
【発明の開示】
【発明が解決しようとする課題】
【０００４】
しかしながら、この方法を含め、従来のプリペイドカードを利用した方法では現金を持参する必要がないものの、残金を越えてしまった課金に対しては、結局、不足分を現金で埋め合わせたり、あるいは、現金にてカードに何回もチャージすることもある。加えて、プリペイドカードには、それ自体に金銭情報が登録されているため、残金データの改ざんといった悪用やカードの紛失や破損による金銭的損害も発生する。
【０００５】
本発明は上記問題や不都合を解消するために想到されたもので、すなわち、キャッシュレスの利便性を有すると共に、従来のプリペイドカードを利用した方法とは異なり、残金を気にすることなく、また、カードの残金データの改ざんといった悪用やカードの紛失や破損による金銭的損害も発生しないカラオケ課金システムの提供を課題とする。
【課題を解決するための手段】
【０００６】
上記課題を解決するため、本発明者らは、従来のプリペイドカード方式のように、カラオケ演奏装置の利用毎に課金処理するのではなく、利用者による予めの支払い後は、カラオケ演奏装置ないしカラオケホスト装置内に、当該利用者毎にパスポート期間を登録し、この期間中は課金を無料とする方式をカラオケ課金システムに導入することで上記課題を解決できることを見出し、本発明のカラオケ課金システムを想到した。
【０００７】
すなわち、本発明の請求項１記載のカラオケ課金システムは、カラオケ演奏装置と当該カラオケ演奏装置に接続された課金処理装置からなるカラオケ課金システムにおいて、前記カラオケ演奏装置内には利用者毎にパスポート期間情報が登録されてなり、利用者が所定のカラオケ演奏装置を利用する際に利用者ＩＤが認証され、当該利用者の前記パスポート期間情報が確認された場合、当該利用日が前記パスポート期間内であれば、前記課金処理装置において、前記カラオケ演奏装置の利用に基づいて発生する所定の課金を無料とすることを特徴とする。
【０００８】
さらに、本発明の請求項２記載のカラオケ課金システムは、カラオケ演奏装置と当該カラオケ演奏装置に接続されたカラオケホスト装置および課金処理装置からなるカラオケ課金システムにおいて、前記カラオケホスト装置内には利用者毎にパスポート期間情報が登録されてなり、利用者が所定のカラオケ演奏装置を利用する際に利用者ＩＤが認証され、当該利用者の前記パスポート期間情報が確認された場合、当該利用日が前記パスポート期間内であれば、前記課金処理装置において、前記カラオケ演奏装置の利用に基づいて発生する所定の課金を無料とすることを特徴とする。
【０００９】
そして、本発明の請求項３記載のカラオケ課金システムは、前記パスポート期間情報に利用時間帯情報がさらに付帯され、前記利用日が前記パスポート期間内で、かつ、前記利用時間内であれば、前記課金処理装置において、前記カラオケ演奏装置の利用に基づいて発生する所定の課金を無料とすることを特徴とする。
【発明の効果】
【００１０】
本発明の請求項１記載のカラオケ課金システムによれば、カラオケ演奏装置内に利用者毎のパスポート期間情報が登録され、利用日が当該パスポート期間内であれば、課金処理装置において、カラオケ演奏装置の利用に基づいて発生する所定の課金を無料とする課金処理をするため、予めの支払い後は、そのパスポート期間内では残金を気にすることがない。また、利用者ＩＤの認証が無料の条件であるため、カードの残金データの改ざんといった悪用やカードの紛失や破損による金銭的損害も発生し難いといった効果を奏する。
【００１１】
さらに、本発明の請求項２記載のカラオケ課金システムによれば、上記効果の他、カラオケホスト装置内に利用者毎のパスポート期間情報が登録されているため、カラオケホスト装置にネットワーク通信回線を介して接続している任意のカラオケ演奏装置が対象となるため利用対象が広がり、また、カラオケホスト装置内による広域でのカラオケ演奏装置の利用に対して一元管理ができる。
【００１２】
そして、本発明の請求項３記載のカラオケ課金システムによれば、パスポート期間情報に利用時間帯情報がさらに付帯されており、例えば、１２時〜１８時の時間帯と１８時〜２４時の時間帯とで支払い金額を変えたり、サービスの対象時間帯を設定するなどといったシステムのバリエーションが多彩になる。
【発明を実施するための最良の形態】
【００１３】
以下、本発明のカラオケ課金システムについて最適な実施例を挙げ、さらに詳述する。
【実施例１】
【００１４】
先ず、図１は本発明のカラオケ課金システムのネットワーク構成概念図であるが、本実施例のカラオケ課金システム（１）は、カラオケ演奏装置（２）、利用者ＩＤを認証するためのＩＤカード読み取り／書き込み装置（３）、課金処理装置（４）と、各カラオケ演奏装置（２，２…）とネットワーク通信回線（５）を介して接続されたラオケホスト装置（６）などからなる。なお、本発明における利用者ＩＤの認証方法は、上記ＩＤカード読み取り／書き込み装置に限らず、例えば、指紋認証装置や暗証番号入力装置などを用いても構わない。
【００１５】
以下、図２に示す本発明のシステムにおけるカラオケ演奏装置の内部構成ブロック図と図３に示すカラオケホスト装置の内部構成ブロック図に基づき、本発明のシステムについて詳述する。先ず、図２に示す本実施例のカラオケ演奏装置（２）は所定のカラオケボックス店舗内に設定されたもので、当該カラオケ演奏装置（２）にはＩＤカード読み取り／書き込み装置（３）が付帯され、各カラオケ演奏装置（２）は店内ＬＡＮにて、支払いカウンタの課金処理装置（３）に接続されると共に、ネットワーク通信回線（５）を介してカラオケホスト装置（６）に接続している。
【００１６】
ここで、カラオケ演奏装置（２）の内部構成について概説すると、利用者が所望する楽曲を特定する楽曲番号が含まれた演奏予約データがカラオケリモコン装置にて入力された際、適宜な記憶部に演奏予約の待ち行列を作成して楽曲の演奏順番を管理し、その中の楽曲番号がカラオケ楽曲データベースに登録されている演奏可能な楽曲の番号であることを確認した上で、ハードディスク（図示せず）に収納されたカラオケ楽曲データベースから該当するＭＩＤＩデータやＡＤＰＣＭデータなどを所定の音源装置に転送して演奏させる演奏制御を行い、これらの様々な制御を請け負う中央制御手段（１１）の他、カラオケホスト装置（６）との通信を制御し、当該カラオケホスト装置（６）からは新規の楽曲をダウンロードしたり、カラオケ演奏装置（２）からは、楽曲の演奏毎の演奏ログなどをカラオケホスト装置（６）にアップロードするための通信制御手段（１０）などからなる。
【００１７】
ここで、利用者毎のパスポート期間情報の処理手順について述べる。先ず、利用者は支払いカウンタの課金処理装置（３）にて所定の金額を支払うと、利用者ＩＤと共に、このＩＤの認証情報はＲＡＭ（１２）のパスポート情報管理ファイル（１３）において、それぞれ利用者ＩＤフィールド（１４）とＩＤ認証情報フィールド（１５）に登録される。また、当該支払い金額に対応したサービスとして、利用者が所望するパスポート期間とそのパスポート期間中において利用できる利用時間帯がそれぞれ設定され、利用者毎のＩＤフィールド（１４）に紐付けされて、パスポート期間フィールド（１６）と利用時間帯フィールド（１７）に登録される。なお、後述するように、これらのパスポート情報は、カラオケホスト装置（６）にて管理しない場合、すなわち、カラオケ演奏装置（２）がスタンドアロンで管理する場合には、当該パスポート情報は、カラオケ演奏装置（２）における上記ＲＡＭ（１２）に代わり、ハードディスク（図示せず）にて、カラオケホスト装置（６）におけるのと同様に管理される。
【００１８】
次に、図３に示す本発明におけるカラオケホスト装置（６）は、前述したように、ネットワーク通信回線（５）を介してネットワーク下に複数のカラオケ演奏装置（２）と接続されている。そして、カラオケホスト装置（６）の内部構成について概説すると、ホスト装置内の様々なシステム制御を全般的に行う中央制御手段（２１）やネットワーク通信回線（５）を介してカラオケ演奏装置（２）の通信制御手段との通信データの送受信の制御を行うための通信制御手段（２０）などを有し、カラオケ演奏装置（２）からアップロードされたパスポート情報は、ハードディスク（２２）のパスポート情報管理ファイル（２３）に登録される。このパスポート情報管理ファイル（２３）は、上記カラオケ演奏装置（２）におけるのと同様に、利用者ＩＤフィールド（２４）、ＩＤ認証情報フィールド（２５）、パスポート期間フィールド（２６）および利用時間帯フィールド（２７）からなり、アップロードされたパスポート情報をそれぞれ登録する。
【００１９】
以下、図４に示す本発明のシステムにおける利用者毎のパスポート情報管理テーブルの概略図に基づき、本発明のシステムにおけるパスポート情報の管理内容についてさらに詳述する。
【００２０】
パスポート情報管理テーブル（Ｔ）は、利用者毎のパスポート情報を一括して管理するためのもので、図２におけるカラオケ演奏装置（２）や図３におけるカラオケホスト装置（６）のパスポート情報管理ファイル（１３）ないし（２３）内に設けられている。このテーブル（Ｔ）は、利用者ＩＤフィールド（３１）と、利用者が所有するＩＤカードのＩＤ情報を照合するためのＩＤ認証情報フィールド（３２）と、パスポート期間を表すパスポート開始日フィールド（３３）およびパスポート終了日フィールド（３４）と、パスポート期間中の利用時間帯を表す利用開始時間フィールド（３５）および利用終了時間フィールド（３６）などからなる。なお、上記ＩＤ認証情報フィールド（３２）の登録情報は本実施例におけるＩＤカードの他、指紋情報や暗唱番号であっても構わず、ＩＤを識別ないし照合して認証できる情報であれば良い。また、本実施例では、パスポート期間については、その開始日は利用者が設定し、その期間は１ヶ月、３ヶ月単位などと設定され、利用時間帯については予め６時間毎の時間帯が設定されているが、本発明はこれに限定されない。
【００２１】
このパスポート情報テーブル（Ｔ）に基づき、利用者が所定のカラオケ演奏装置を利用する際に利用者ＩＤが認証され、当該利用者のパスポート期間情報が確認された場合、当該利用日がこのパスポート期間内の利用時間帯であれば、課金処理装置において、カラオケ演奏装置の利用に基づいて発生する所定の課金を無料とする。勿論、このサービスについては、カラオケホスト装置にパスポート情報が登録されている場合は、このホスト装置に接続された何れのカラオケ演奏装置に対しても有効であり、各カラオケ演奏装置に接続された課金処理装置において課金が無料化される。一方、カラオケ演奏装置のみにパスポート情報が登録されている場合は、当該演奏装置の課金処理装置においてのみ課金が無料化される。
【００２２】
なお、本実施例においてはパスポート期間情報に利用時間帯情報が付帯されているが、本発明はこれに限定されず、必ずしも利用時間帯情報は必要ない。ただし、システムのバリエーションが多彩になる点では付帯した方が好ましい。
【００２３】
以上、詳述したように、本発明のカラオケ課金システムによれば、利用者による予めの支払い後は、カラオケ演奏装置ないしカラオケホスト装置内に当該利用者毎にパスポート期間を登録し、この期間中は課金を無料とする方式をカラオケ課金システムに導入することで、キャッシュレスの利便性を有すると共に、従来のプリペイドカードを利用した方法とは異なり、残金を気にすることなく、また、カードの残金データの改ざんといった悪用やカードの紛失や破損による金銭的損害も発生しない。
【図面の簡単な説明】
【００２４】
【図１】本発明のカラオケ課金システムのネットワーク構成概念図。
【図２】本発明のシステムにおけるカラオケ演奏装置の内部構成ブロック図。
【図３】本発明のシステムにおけるカラオケホスト装置の内部構成ブロック図。
【図４】利用者毎のパスポート情報管理テーブルの概略図。
【符号の説明】
【００２５】
３１  利用者ＩＤフィールド
３２  ＩＤ認証情報フィールド
３３  パスポート開始日フィールド
３４  パスポート終了日フィールド
３５  利用開始時間フィールド
３６  利用終了時間フィールド
Ｔ  パスポート情報管理テーブル
【図１】
2005164659.tif 000003
【図２】
2005164659.tif 000004
【図３】
2005164659.tif 000005
【図４】
2005164659.tif 000006